(57)【要約】【課題】  組み立てが容易で安定作動される破砕機能を持つバケット装置を提供する。【解決手段】  バケット本体２と、バケット本体２の内部に回転可能に配置される回転作動軸１８と、回転作動軸１８の一方端部に連結され回転作動軸１８を回転駆動するモータ４０と、回転作動軸１８の周囲に並行して設けられ、回転作動軸１８と一体に回転される複数本のハンマー取付け軸２２と、ハンマー取付け軸２２のそれぞれに回転自在に軸支されて設けられる複数個のハンマー２４とを備えるバケット装置。【選択図】図４
2019183595.tif 000002
【特許請求の範囲】
【請求項１】
バケット本体と、
前記バケット本体の内部に回転可能に配置される回転作動軸と、
前記回転作動軸の一方端部に連結され前記回転作動軸を回転駆動するモータと、
前記回転作動軸の周囲に並行して設けられ、前記回転作動軸と一体に回転される複数本のハンマー取付け軸と、
前記ハンマー取付け軸のそれぞれに搖動回転自在に軸支されて設けられる複数個のハンマーと、
を備えることを特徴とするバケット装置。
【請求項２】
前記回転作動軸の他方端部にフライホイールが装着されている請求項１記載のバケット装置。
【請求項３】
前記バケット本体の両側面に切り欠き部を備え、前記回転作動軸がその両端部において前記切り欠き部に嵌入されて装着される請求項１または２記載のバケット装置。
【請求項４】
前記ハンマー取付け軸が、前記バケット本体の側面において挿し入れ及び抜き出し可能に設けられてなる請求項１、２または３記載のバケット装置。
【請求項５】
前記バケット本体の廃材の取入れ開口に取り付けられる蓋体に、前記蓋体の内面に取り付けられる破砕用反発板の取付け及び取り外し用開口が設けられてなることを特徴とする請求項１記載のバケット装置。
【発明の詳細な説明】
【技術分野】
【０００１】  この発明は、ショベルのアームに連結使用され、廃材等の破砕機能を持つバケット装置に関する。
【背景技術】
【０００２】  ショベルのアームに連結使用される破砕機能を持つバケット装置は、回転作動軸の回転に伴うハンマーの搖動回転によりバケット本体内において廃材等の破砕を行うが、回転作動軸はベルト駆動により行っている。
【発明の概要】
【発明が解決しようとする課題】
【０００３】  上記のように回転作動軸をベルト駆動する構成の場合、その組み立て構成が複雑となり、また、ベルトのテンションが変化すると作動が安定せず、その調整等に手間がかかる問題があった。【０００４】  この発明は上記の事情に鑑みて行ったもので、組み立てが容易に行えるとともに、破砕作動が安定して行われるバケット装置を提供することを目的とする。
【課題を解決するための手段】
【０００５】  この発明では、バケット本体と、バケット本体の内部に回転可能に配置される回転作動軸と、回転作動軸の一方端部に連結され回転作動軸を回転駆動するモータと、回転作動軸の周囲に並行して設けられ、回転作動軸と一体に回転される複数本のハンマー取付け軸と、ハンマー取付け軸のそれぞれに搖動回転自在に軸支されて設けられる複数個のハンマーとを備えることを特徴とするバケット装置を提供する。【０００６】  上記構成のバケット装置は、回転作動軸が一方端部に取り付けられたモータにより直接回転駆動される構成であるので、組み立て構成が簡略であり、また、回転作動軸が安定作動されて破砕作用が良好に行われる。【０００７】  回転作動軸の他方端部にフライホイールが装着される構成とすることで、さらに回転作動軸が安定作動されて破砕作用がさらに良好に行われる。【０００８】  バケット本体の両側面に切り欠き部を備え、回転作動軸がその両端部において切り欠き部に嵌入されて装着される構成とすることで、組み立て容易になされる。【０００９】  ハンマー取付け軸が、バケット本体の側面において挿し入れ及び抜き出し可能に設けられてなる構成とすることで、損傷したハンマーやハンマー取付け軸の取り換えが容易に行われる。【００１０】  バケット本体の廃材の取入れ開口に取り付けられる蓋体に、蓋体の内面に取り付けられる破砕用反発板の取り付け及び取り外し用開口が設けられてなる構成とすることで、取り付け及び取り外し用開口において破砕用反発板の取り換えが容易に行われる。
【発明の効果】
【００１１】  この発明によれば、組み立てが容易に行えるとともに、破砕作動が安定して行われるバケット装置が得られる。
【図面の簡単な説明】
【００１２】
【図１】  この発明のバケット装置の実施形態の側面図
【図２】  この発明のバケット装置の実施形態の平面図
【図３】  この発明のバケット装置の実施形態の破砕作動体の正面図
【図４】  この発明のバケット装置の実施形態の破砕作動体の取付け説明図
【図５】  この発明のバケット装置の実施形態のバケット本体の側面図
【図６】  この発明のバケット装置の実施形態の要部拡大断面図
【図７】  この発明のバケット装置の実施形態の要部拡大断面図
【発明を実施するための形態】
【００１３】  図１はこの発明のバケット装置の実施形態の側面図、図２は平面図である。バケット装置１において、２はバケット本体であり、内部を破砕室４とし、前面を廃材の取入れ開口６とし、後面を破砕片の排出開口８としている。取入れ開口６には一対の油圧シリンダー７により開閉される蓋体１０が設けられ、排出開口８にはグレート（網体）１２が装着されている。バケット装置１は上部のブラケット５部分がショベルのアーム端に連結されて使用される。
【００１４】  図３は破砕作動体１４を示し、破砕作動体１４はバケット本体２の内部に回転可能に配置される回転作動軸１８と、回転作動軸１８の周囲に並行して設けられて回転作動軸１８と一体に回転される４本のハンマー取付け軸２２と、ハンマー取付け軸２２のそれぞれに搖動回転自在に軸支されて設けられる多数個のハンマー２４から構成される
【００１５】  上記破砕作動体１４の詳細構造とそのバケット本体２への取付け構造を説明する。回転作動軸１８には所定の間隔をおいて十字形状の１０枚の取付けプレート５０が溶接により固定され、これらの取付けプレート５０の同位置にある取付け穴それぞれに挿通支持されて４本のハンマー取付け軸２２が取り付けられ、これらハンマー取付け軸２２それぞれに挿通軸支されて多数個のハンマー２４が搖動回転自在に装着されている。３４のそれぞれは円形のサイドカバーであり、両外側の取付けプレート５０にボルト３５より取り付けられ、このサイドカバー３４のそれぞれによりハンマー取付け軸２２の両端の位置決めがなされている。
【００１６】  上記のように構成される破砕作動体１４は、図４、図５に示すように、回転作動軸１８の両端近傍部位においてバケット本体２の側板６０の相対する位置に設けられる装着溝（切り欠き部）５１に沿って奥部まで嵌め入れられ、その両端部に外方から軸受けを内蔵する軸受けケーシング５３のそれぞれが装着され、その軸受けケーシング５３の周囲部が篏合溝５１の奥部周縁に固着されて設けられた固定部材５２に固定ネジにより固着されて取り付けられる。このようにして取り付けられた回転作動軸１８の一方の端部に油圧モータ４０が取り付けられ、他方の端部にフライホイール４２が取り付けられる。
【００１７】  次に、ハンマー取付け軸２２の挿し入れ及び抜き出し可能構造を説明する。図６に示すように、油圧モータ４０側のサイドカバー３４面には、ハンマー取付け軸２２それぞれの端部に相対する操作用の開口５４のそれぞれが設けられ、さらに、それら開口５４がサイドカバー３４の回転する際に相対するバケット本体２の側板６０の１か所の位置に操作用の開口６２が設けられている。それぞれの操作用の開口５４、６２には栓体５６、６４のそれぞれが篏合装着され、固定リングそれぞれにより固定されている。栓体５６、６４それぞれの外面中央にはネジ穴５７、６５が設けられており、固定リングが外された状態においてそのネジ穴５７、６５に外し具のネジ部が螺入されて引かれることで栓体５６、６４は開口５４、６２から外方に外される。ハンマー取付け軸２２の端面にもネジ穴２９が設けられており、そのネジ穴２９に開口５４、６２を通して差し入れた外し具のネジ部が螺入されて引かれることで、ハンマー取付け軸２２が開口５４、６２から抜き出される。このハンマー取付け軸２２の抜き出しはハンマー取付け軸２２からハンマー２４それぞれ取り外しを行いながら行う。抜き出したハンマー取付け軸２２を開口５４、６２から差し入れながら新たなハンマー２４を装着し、開口５４、６２を栓体５６、６４で閉じることでハンマー２４の取り換えが行われる。また、損傷したハンマー取付け軸２２の取り換えも行える。
【００１８】  次に、図７を参照して蓋体１０内面への破砕用反発板７０の取付け構造を説明する。蓋体１０の所定位置には、図２に示すように、横方向５列に３個ずつ合計１５個の取付け及び取り外し用開口７４が設けられており、蓋体１０の内面には開口７４を覆うように横方向５列に５本の断面Ｌ型の取付け板７２が溶接固定されて設けられている。取り付け板７２には取付け用の通孔７５が設けられ、短冊状の破砕用反発板７０には複数個の通孔７８とそれに連続するナット装着凹部７６を備える。通孔７５それぞれに通孔７８それぞれを合わせるようにして取付け板７２下面に沿って破砕用反発板７０を配置し、開口７４においてボルト８０を取り付け板７２の通孔７５に挿し入れてナット装着凹部内７６内のナット７９に螺入固定することで破砕用反発板７０の取付けが行われ、また、逆の作業手順により破砕用反発板７０の取り外しが行われる。このように開口７４において破砕用反発板７０の取付けと取り外しが行えることで、使用に伴う損傷が多い破砕用反発板７０の取り換えが容易に行われる。取付け板７２にネジを切って固定する構造とする場合、衝撃によりネジが損傷した場合は取り換えが不可となるが、通孔７５、通孔７８を通してボルト８０とナット７９により固定を行うのでその問題は回避される。取付け板７２の両端面と開口７４間の位置には３角形状のプレートが取り付けられ、これにより取付け板７２の補強がなされるとともに、外部から取り付け開口７４を通してバケット本体２内部にゴミ等が入ることが防止される。
【００１９】  上記構成のバケット装置１は、蓋体１０が開かれた状態において取入れ開口６から廃材等が破砕室４内に取り入れられ、蓋体１０が閉じられた状態において油圧モータ４０により破砕作動体１４が回転作動され、これにより廃材等は搖動回転する多数個のハンマー２４により、また、破砕用反発板７０に衝突することで破砕され、小さくなった破砕片がグレート１２を通して排出開口８から外部に排出される。
【符号の説明】
【００２０】１    バケット装置
２    バケット本体
４    破砕室
６    取入れ開口
８    排出開口
１０  蓋体
１８  回転作動軸
２２  ハンマー取付け軸
２４  ハンマー
４０  油圧モータ
４２  フライホイール
５１  装着溝（切り欠き部）
７０  破砕用反発板
７４  取付け用開口
【図１】
2019183595.tif 000003
【図２】
2019183595.tif 000004
【図３】
2019183595.tif 000005
【図４】
2019183595.tif 000006
【図５】
2019183595.tif 000007
【図６】
2019183595.tif 000008
【図７】
2019183595.tif 000009